(57)【要約】【課題】  僅かな開角度であっても前面カバー部材が開状態であることを検出することができ、また、前面カバー部材からの着脱が容易な開閉検出器を備えた遊技機を提供する。【解決手段】  前面カバー部材８は、ガラスユニット２８を取り付けるベース部材２２と、当該前面カバー部材８の回動自由端側を補強する自由端補強プレート５３とを備え、ベース部材２２は、前面カバー部材８の回動自由端側の裏面に開設された裏面開口部６１と、開閉検出器３３を装着可能な検出器装着部とを形成し、自由端補強プレート５３は、上下方向の上寄りに２箇所、下寄りに１箇所設けられた係止片５３ａと、上寄りに設けられた２箇所の係止片５３ａの間であって、裏面開口部６１と連通する状態で開設されたプレート開口部７２とを設け、裏面開口部６１からプレート開口部７２を経て検出部３３ａを突設させる状態で、開閉検出器３３を検出器装着部に装着した。【選択図】  図１０
2006051119.tif 000002
【特許請求の範囲】
【請求項１】
遊技盤を着脱可能な前面枠と、該前面枠の前面の一側方に開閉可能に軸支され、遊技盤の前面を覆う透明部材を保持する前面カバー部材と、該前面カバー部材の開閉状態を検出部の変位により検出可能な開閉検出部と、を備えた遊技機において、
前記前面カバー部材は、
前記遊技盤を視認可能な開口部を有し、該開口部を塞ぐ状態で前記透明部材を取り付けるベース部材と、
当該前面カバー部材の回動自由端側を上下方向全域に亘って補強する自由端補強プレートと、
を備え、
前記ベース部材は、
前記前面カバー部材の回動自由端側の裏面に開設された裏面開口部と、
前記裏面開口部から検出部が突出する状態で前記開閉検出器を装着可能な検出器装着部と、
を形成し、
前記自由端補強プレートは、
前記前面枠と前記前面カバー部材とを係止するために、上下方向の上寄りに２箇所、下寄りに１箇所設けられた係止片と、
上寄りに設けられた２箇所の係止片の間であって、前記裏面開口部と連通する状態で開設されたプレート開口部と、
を設け、
前記裏面開口部から前記プレート開口部を経て検出部を前面枠へ向けて突設させる状態で、前記開閉検出器を検出器装着部に装着したことを特徴とする遊技機。
【請求項２】
前記ベース部材は、
前記検出器装着部の前側から覆う装飾蓋部材を着脱可能に取り付け、
該装飾蓋部材は、
前記開閉検出器に対向する箇所に、開閉検出器の前後方向の移動を規制する移動規制部を形成したことを特徴とする請求項１に遊技機。
【請求項３】
前記開閉検出器は、
前記検出部の前後方向への変位により前記前面カバー部材の開閉状態を検出可能な検出スイッチと、
該検出スイッチを保持するスイッチホルダと、
から構成され、
前記検出スイッチは、
後部に前記検出部を、一側部に凹状の係合受部をそれぞれ備え、
前記スイッチホルダは、
前記検出スイッチを収納するスイッチ収納部と、
該スイッチ収納部の一側部の内側に設けられ、前記検出スイッチの係合受部に係合する凸状のスイッチ係合部と、
前記検出器装着部の内部に係止する係止爪と、
前記検出器装着部に前方から当接する当接部と、
前記スイッチ収納部の後部および他側部を開放する前記検出スイッチの着脱開口部と、
を形成し、
前記検出器装着部は、
前記係止爪を受ける係止受部と、
前記当接部を当接してスイッチホルダの前後方向を位置決めする位置決め部と、
を備え、
前記開閉検出器を前記検出器装着部へ装着すると、前記着脱開口部から臨ませた検出スイッチの他側部が前記検出器装着部の内面に当接され、
前記当接部を位置決め部に当接した状態で係止爪を係止受部に係止すると、前記開閉検出器が検出器装着部内に、前記検出部を前記裏面開口部およびプレート開口部から後方へ突出した状態で取り付けられ、
前記ベース部材から前記装飾蓋部材を取り外した状態で、前記係止爪と係止受部との係止状態を解除すると、前記開閉検出器が検出器装着部から前面側へ脱離可能となることを特徴とする請求項１または請求項２に記載の遊技機。
【請求項４】
前記自由端補強プレートは、
前記開閉検出器よりも前記前面カバー部材の自由端側に、前面枠へ向けて突出した不正防止起立壁を当該自由端補強プレートの長手方向の全幅に亘って形成し、
前記不正防止起立壁の突出端を前記開閉検出器の検出部の先端よりも後方へ延出したことを特徴とする請求項１から請求項３のいずれかに記載の遊技機。
【発明の詳細な説明】
【技術分野】
【０００１】
本発明は、前面枠の前面の一側方に前面カバー部材を開閉可能に軸支したパチンコ遊技機等の遊技機に関する。
【背景技術】
【０００２】
従来の遊技機、例えば、パチンコ遊技機においては、遊技盤を着脱可能な前面枠の前面の一側方に前面カバー部材（ガラス枠）を開閉可能な状態に軸支し、前面カバー部材には大きな開口部を開設するとともに該開口部を透明部材（ガラス）で塞いで、遊技盤上に形成された遊技領域を開口部から前方へ臨ませている。また、前面カバー部材の裏面には、前面カバー部材の開状態を検出する開閉検出器（開閉スイッチ）を備えている。この開閉検出器は、前面カバー部材の閉じ忘れや施錠し忘れを抑制して、前面カバー部材と前面枠との間の隙間から不正部材を挿入する等の不正行為を未然に防止できるように取り付けられている。そして、この開閉検出器を、取付スペースを確保し易い箇所、具体的には前面カバー部材の中央より軸支部側に取り付ける旨が提案されている（例えば、特許文献１参照。）。
【特許文献１】特開２００２−３５３４９号公報
【発明の開示】
【発明が解決しようとする課題】
【０００３】
ところで、前面カバー部材が開くと、前面枠と前面カバー部材の軸支端（軸着基端）側との間に形成される隙間は、前面枠と前面カバー部材の自由端側との間に形成される隙間よりも狭く形成される。そのため、開閉検出器を前面カバー部材の軸支側に取り付けると、前面カバー部材が僅かな開角度で開いている場合に、前面カバー部材の自由端側で或る程度の隙間（例えば、不正部材が侵入可能な隙間）が形成されているにも拘らず、開閉検出器が前面カバー部材の開状態を検出しない虞がある。
【０００４】
また、開閉検出器が、前面カバー部材を施錠して前面枠に係止する箇所から離れているので、閉状態の前面カバー部材が前面枠に対して最も密接となる位置の状態を検出することができない。このことから開閉検出器によって前面カバー部材の開閉状態が誤検出される虞がある。
【０００５】
そして、開閉検出器は、組立時や交換時において前面カバー部材に容易に着脱可能な構造を備えることが望ましい。
【０００６】
そこで、本発明は、上記の事情に鑑みてなされたものであり、その目的は、僅かな開角度であっても前面カバー部材が開状態であることを検出することができ、また、前面カバー部材からの着脱が容易な開閉検出器を備えた遊技機を提供しようとするものである。
【課題を解決するための手段】
【０００７】
本発明は、上記目的を達成するために提案されたものであり、請求項１に記載のものは、遊技盤を着脱可能な前面枠と、該前面枠の前面の一側方に開閉可能に軸支され、遊技盤の前面を覆う透明部材を保持する前面カバー部材と、該前面カバー部材の開閉状態を検出部の変位により検出可能な開閉検出部と、を備えた遊技機において、
前記前面カバー部材は、
前記遊技盤を視認可能な開口部を有し、該開口部を塞ぐ状態で前記透明部材を取り付けるベース部材と、
当該前面カバー部材の回動自由端側を上下方向全域に亘って補強する自由端補強プレートと、
を備え、
前記ベース部材は、
前記前面カバー部材の回動自由端側の裏面に開設された裏面開口部と、
前記裏面開口部から検出部が突出する状態で前記開閉検出器を装着可能な検出器装着部と、
を形成し、
前記自由端補強プレートは、
前記前面枠と前記前面カバー部材とを係止するために、上下方向の上寄りに２箇所、下寄りに１箇所設けられた係止片と、
上寄りに設けられた２箇所の係止片の間であって、前記裏面開口部と連通する状態で開設されたプレート開口部と、
を設け、
前記裏面開口部から前記プレート開口部を経て検出部を前面枠へ向けて突設させる状態で、前記開閉検出器を検出器装着部に装着したことを特徴とする遊技機である。
【０００８】
請求項２に記載のものは、前記ベース部材は、
前記検出器装着部の前側から覆う装飾蓋部材を着脱可能に取り付け、
該装飾蓋部材は、
前記開閉検出器に対向する箇所に、開閉検出器の前後方向の移動を規制する移動規制部を形成したことを特徴とする請求項１に記載の遊技機である。
【０００９】
請求項３に記載のものは、前記開閉検出器は、
前記検出部の前後方向への変位により前記前面カバー部材の開閉状態を検出可能な検出スイッチと、
該検出スイッチを保持するスイッチホルダと、
から構成され、
前記検出スイッチは、
後部に前記検出部を、一側部に凹状の係合受部をそれぞれ備え、
前記スイッチホルダは、
前記検出スイッチを収納するスイッチ収納部と、
該スイッチ収納部の一側部の内側に設けられ、前記検出スイッチの係合受部に係合する凸状のスイッチ係合部と、
前記検出器装着部の内部に係止する係止爪と、
前記検出器装着部に前方から当接する当接部と、
前記スイッチ収納部の後部および他側部を開放する前記検出スイッチの着脱開口部と、
を形成し、
前記検出器装着部は、
前記係止爪を受ける係止受部と、
前記当接部を当接してスイッチホルダの前後方向を位置決めする位置決め部と、
を備え、
前記開閉検出器を前記検出器装着部へ装着すると、前記着脱開口部から臨ませた検出スイッチの他側部が前記検出器装着部の内面に当接され、
前記当接部を位置決め部に当接した状態で係止爪を係止受部に係止すると、前記開閉検出器が検出器装着部内に、前記検出部を前記裏面開口部およびプレート開口部から後方へ突出した状態で取り付けられ、
前記ベース部材から前記装飾蓋部材を取り外した状態で、前記係止爪と係止受部との係止状態を解除すると、前記開閉検出器が検出器装着部から前面側へ脱離可能となることを特徴とする請求項１または請求項２に記載の遊技機である。
【００１０】
請求項４に記載のものは、前記自由端補強プレートは、
前記開閉検出器よりも前記前面カバー部材の自由端側に、前面枠へ向けて突出した不正防止起立壁を当該自由端補強プレートの長手方向の全幅に亘って形成し、
前記不正防止起立壁の突出端を前記開閉検出器の検出部の先端よりも後方へ延出したことを特徴とする請求項１から請求項３のいずれかに記載の遊技機である。
【発明の効果】
【００１１】
本発明によれば、以下のような優れた効果を奏する。
請求項１に記載の発明によれば、前面カバー部材は、遊技盤を視認可能な開口部を有し、該開口部を塞ぐ状態で透明部材を取り付けるベース部材と、当該前面カバー部材の回動自由端側を上下方向全域に亘って補強する自由端補強プレートとを備え、ベース部材は、前面カバー部材の回動自由端側の裏面に開設された裏面開口部と、裏面開口部から検出部が突出する状態で開閉検出器を装着可能な検出器装着部とを形成し、自由端補強プレートは、前面枠と前面カバー部材とを係止するために、上下方向の上寄りに２箇所、下寄りに１箇所設けられた係止片と、上寄りに設けられた２箇所の係止片の間であって、裏面開口部と連通する状態で開設されたプレート開口部とを設け、裏面開口部からプレート開口部を経て検出部を前面枠へ向けて突設させる状態で、開閉検出器を検出器装着部に装着したので、回動軸支端（軸着基端）よりも回動量（移動量）が大きくなる回動自由端側で前面カバー部材と前面枠との隙間を検出することでき、僅かな開角度であっても、前面カバー部材の開状態を検出することができる。また、開閉検出器を前面枠と前面カバー部材との係止位置に近づけて配置することができる。したがって、開閉検出器は、閉状態の前面カバー部材が前面枠に対して最も密接となる位置の状態を検出することができる。このことから、前面カバー部材が閉じているにも拘らず開閉検出器により開状態であると誤検出してしまう不都合を抑えることができる。
【００１２】
請求項２に記載の発明によれば、ベース部材は、検出器装着部の前側から覆う装飾蓋部材を着脱可能に取り付け、該装飾蓋部材は、開閉検出器に対向する箇所に、開閉検出器の前後方向の移動を規制する移動規制部を形成したので、開閉検出器が前後方向へ大きくぐらついてしまう不都合を抑制することができ、前面カバー部材の開閉状態の検出を常時安定して行えるようにすることができる。
【００１３】
請求項３に記載の発明によれば、開閉検出器は、検出部の前後方向への変位により前面カバー部材の開閉状態を検出可能な検出スイッチと、該検出スイッチを保持するスイッチホルダとから構成され、検出スイッチは、後部に検出部を、一側部に凹状の係合受部をそれぞれ備え、スイッチホルダは、検出スイッチを収納するスイッチ収納部と、該スイッチ収納部の一側部の内側に設けられ、検出スイッチの係合受部に係合する凸状のスイッチ係合部と、検出器装着部の内部に係止する係止爪と、検出器装着部に前方から当接する当接部と、スイッチ収納部の後部および他側部を開放する検出スイッチの着脱開口部とを形成し、検出器装着部は、係止爪を受ける係止受部と、当接部を当接してスイッチホルダの前後方向を位置決めする位置決め部とを備え、開閉検出器を検出器装着部へ装着すると、着脱開口部から臨ませた検出スイッチの他側部が検出器装着部の内面に当接され、当接部を位置決め部に当接した状態で係止爪を係止受部に係止すると、開閉検出器が検出器装着部内に、検出部を裏面開口部およびプレート開口部から後方へ突出した状態で取り付けられ、ベース部材から装飾蓋部材を取り外した状態で、係止爪と係止受部との係止状態を解除すると、開閉検出器が検出器装着部から前面側へ脱離可能となるので、検出スイッチを簡単な構造のスイッチホルダに保持することができ、検出スイッチの組み付け作業を容易に行うことができる。また、開閉検出器を、特別な工具等を使用することなく簡単に着脱することができ、前面カバー部材の組立作業やメンテナンス作業の負担の軽減を図ることができる。
【００１４】
請求項４に記載の発明によれば、自由端補強プレートは、開閉検出器よりも前面カバー部材の自由端側に、前面枠へ向けて突出した不正防止起立壁を当該自由端補強プレートの長手方向の全幅に亘って形成し、不正防止起立壁の突出端を開閉検出器の検出部の先端よりも後方へ延出したので、前面カバー部材が僅かに開いた状態であっても開閉検出器によりこの開状態を検出でき、しかも前面カバー部材と前面枠との間に形成された隙間から不正部材が挿入されることを阻止することができる。
【発明を実施するための最良の形態】
【００１５】
以下、代表的な遊技機であるパチンコ遊技機を例に挙げて本発明の実施の最良の形態を図面に基づき説明する。図１はパチンコ遊技機の正面図、図２は前面カバー部材を開放した状態におけるパチンコ遊技機の斜視図である。
パチンコ遊技機１は、外枠（機枠あるいは本体枠）２に、大きな矩形状開口部を有する略額縁状の前面枠（内枠）３の一側（図中左側）を開閉可能に取り付け、この前面枠３の遊技盤収納部４（図２参照）内に遊技盤５を着脱（交換）可能な状態で取り付け、遊技盤５の表面には、表示装置、大入賞口、一般入賞口（いずれも図示せず）、アウト口５′などを配設した遊技領域６をガイドレールなどの遊技領域区画部材７により区画することで形成している。また、前面枠３の前面側には、一側（図中左側）が軸着（軸支）された前面カバー部材８を開閉（回動）可能に設け、該前面カバー部材８に透視可能なガラス板９を収納し、このガラス板９を通して遊技領域６を前方から透視可能な状態で覆い、前面カバー部材８の下方に上皿ユニット１０と下皿ユニット１１とを左右に少し位置をずらした状態で上下に設けてある。そして、このパチンコ遊技機１は、その横に設置されたカードユニット（図示せず）のカード挿入口にプリペイドカード等の記憶媒体（遊技価値が記憶されている）を挿入し、前面カバー部材８の下部に設けられた球貸用操作ボタン１２を操作すると、パチンコ遊技機１の内部に設けられた球排出装置（図示せず）が作動して遊技球が上皿ユニット１０に排出されるとともに記憶媒体の記憶内容が書き換えられ、返却用操作ボタン１３を操作するとカードユニット内の記憶媒体がカード挿入口から返却されるように構成されている。
【００１６】
次に、前面カバー部材（透明部材保持枠）８について説明する。
前面カバー部材８は、図３〜６に示すように、遊技盤５の遊技領域６の全体が視認可能な略円形の開口部２１を開設したベース部材２２と、該ベース部材２２の前面上部に設けられたパイロットレンズユニット２３と、パイロットレンズユニット２３の左右両端部の下方に設けられたスピーカー２４と、該スピーカー２４の前方を覆うスピーカー装飾ユニット２５と、ベース部材２２の前面下部に設けられた下部装飾ユニット２６と、開口部２１の周縁部に設けられた略環状のレンズユニット２７と、ベース部材２２の裏側に開口部２１を塞ぐ状態でガラス板９を取り付けるガラスユニット２８（本発明の透明部材に相当）と、開口部２１の下方部分に配設され、ガラスユニット２８の下端を嵌合する裏面部材２９と、ベース部材２２の裏面上部に設けられ、ガラスユニット２８を保持するためのガラスユニット保持部材３０とから概略構成されている。そして、ベース部材２２の一側（図５中右側）の上部に設けた蝶番機構（上側蝶番機構）３１と一側下部に設けたヒンジ金具（下側蝶番機構）３２とにより前面枠３の一側方（図２中左側）に開閉可能に軸支されている。また、ベース部材２２の他側上部には開閉検出器３３を、その検出部３３ａを後方へ突出する状態でベース部材２２の前方から取り付け、検出部３３ａが前面枠３に押される等して生じる変位により前面カバー部材８の開閉状態を検出できるように構成されている。そして、開閉検出器３３の前方には、前面カバー部材８の前面の一部を構成する検出器カバー３４（本発明における装飾蓋部材に相当）を取り付け、該検出器カバー３４の裏側、すなわち開閉検出器３３に対向する箇所に、開閉検出器３３の前後方向の移動（詳しくは前進）を規制する移動規制部３４ａ（図１６参照）を形成している。また、パイロットレンズユニット２３には、中央部分に略逆三角形状のパイロットレンズ３５を、該パイロットレンズ３５の右側方には開閉ランプ用レンズ３６および球排出エラーランプ用レンズ３７を横に並べて備えている。なお、開閉検出器３３やその取付構造については、後で詳細に説明する。
【００１７】
ベース部材２２は、合成樹脂により成形された背面開放の浅いカバー状の部材である。このベース部材２２は、上部の左右にスピーカー取付部３８を設けて前方からスピーカー２４をねじ等の止着部材（図示せず）により止着し、前面には複数の発光基板４０を取り付け、各発光基板４０の前面には、点状の発光体（例えば、ＬＥＤ）４４を複数配設している。なお、パイロットレンズユニット２３のパイロットレンズ３５の後方に配設された発光体４４は、遊技中における所謂大当り時に点灯するパイロットランプとして機能する。また、開閉ランプ用レンズ３６の後方に配設された発光体４４は、前面カバー部材８が前面枠３に対して開いたときに開閉検出器３３からの信号に基づいて点灯する開閉ランプとして機能し、球排出エラーランプ用レンズ３７の後方に配設された発光体４４は、パチンコ遊技機１内の球排出機構（図示せず）に球詰まり等のエラーが発生したときに点灯する球排出エラーランプとして機能する。
【００１８】
また、ベース部材２２の裏面には、図７に示すように、開口部２１の内周縁の外側に壁状の防犯リブ４８が立設され、該防犯リブ４８の内側にガラスユニット２８が装着されるように構成されている。そして、このベース部材２２の裏面のうち開口部２１の上方に横長な金属製の上補強プレート５１をねじで固定するとともに、開口部２１の一側（前面カバー部材８の回動軸支端側。図中右側。）に縦長な軸支端補強プレート５２を、開口部２１の他側（前面カバー部材８の回動自由端側。図中左側。）に縦長な自由端補強プレート５３を、開口部２１の下方に横長な下補強プレート５４を軸支端補強プレート５２の下端と自由端補強プレート５３の下端とに接続した状態でそれぞれねじにより固定している。さらに、軸支端補強プレート５２の前側（ベース部材２２との間）に蝶番機構３１の軸部材３１ａを設け、軸支端補強プレート５２の下部にはヒンジ金具３２の軸受穴３２ａを開設している。なお、上補強プレート５１，軸支端補強プレート５２，自由端補強プレート５３，下補強プレート５４はそれぞれ金属板製であり、ベース部材２２の開口部２１の四方を囲むように付設される補強材として機能する。なお、図７中、符号５６はベース部材２２の上部に取り付けられる配線カバー部材であり、符号５７はベース部材２２の右側に取り付けられる防犯兼配線カバー部材である。
【００１９】
次に、開閉検出器３３およびその取付箇所について説明する。
ベース部材２２は、図８および図９に示すように、前面枠３の他側方（図２中右側）に対向し得る位置、具体的には、当該ベース部材２２の右上側（回動自由端周辺の上側）であって自由端補強プレート５３を配置した部分、すなわち前面カバー部材８の回動自由端側の裏面に裏面開口部６１を開設し、開閉検出器３３を検出部３３ａが裏面開口部６１から突出する状態で装着する検出器装着部６０を形成している。この検出器装着部６０は、裏面開口部６１の左右両側の縁部には断面コ字状の装着壁部６２を、その開放部分を互いに対向させた状態で前方へ突設し、装着壁部６２間に開閉検出器３３を挿脱（進退）可能な挿脱領域６３を開設している。また、装着壁部６２の内側には、開閉検出器３３の係止爪６４（後述する）を係止する係止受部６５を左右両側から横方向へ向けて突設し、裏面開口部６１の上下両側の縁部、すなわち挿脱領域６３の上方および下方には、平面状の位置決め部６６を、開閉検出器３３の当接部６７（後述する）を前方から当接できるように構成されている。
【００２０】
なお、検出器装着部６０は、左右各側の装着壁部６２を裏面開口部６１の下寄りの位置に備えるとともに、各装着壁部６２内の開放部分の幅を、後述の係止爪６４に合わせて互いに異なった幅、具体的には右側の装着壁部６２内の開放部分の幅を左側の装着壁部６２内の開放部分の幅よりも狭く設定して、開閉検出器３３が上下逆の状態で装着される不都合を防げるように構成されている。また、検出器装着部６０に開閉検出器３３を装着した状態については、後で詳細に説明する。
【００２１】
検出器装着部６０の後方に配置される自由端補強プレート５３は、前面カバー部材８の回動自由端側を上下方向全域に亘って補強するプレートであり、正面から見て右側縁（前面カバー部材８の回動自由端側に位置する側縁）に不正防止起立壁７０を、後方の前面枠３へ向けて突出するとともに当該自由端補強プレート５３の長手方向の全幅に亘って形成している。また、自由端補強プレート５３のうち前面枠３に当接し得る裏側には、上視略Ｌ字形状の係止片５３ａを、当該自由端補強プレート５３の上寄りに２箇所、下寄りに１箇所設け（図５参照）、前面カバー部材８の閉状態時において、この係止片５３ａに、前面枠３の他側方に設けられた係止鉤７１（図２参照）を係止できるように構成されている。さらに、上寄りの２つの係止片５３ａの間に矩形状のプレート開口部７２を開設し、該プレート開口部７２と検出器装着部６０の裏面開口部６１とを前後方向に連通している。したがって、この自由端補強プレート５３は、検出器装着部６０の裏面開口部６１に連通するプレート開口部７２を開設し、該プレート開口部７２の上方近傍および下方近傍に係止片５３ａをそれぞれ設け、この上下２つの係止片５３ａの間から検出器装着部６０に装着された開閉検出器３３の検出部３３ａを後方の前面枠３へ臨ませるように構成されている（図１０参照）。
【００２２】
検出器装着部６０に装着される開閉検出器３３は、図１１〜図１４に示すように、前後方向に移動する検出部３３ａを備えた検出スイッチ７４と、該検出スイッチ７４を保持するスイッチホルダ７５とから構成されている。検出スイッチ７４は、厚肉のブロックを縦向きにした形状を呈しており、前上端部を切り欠いて形成された上向き段差面に、検出信号出力用の配線コネクタ７７を当該検出スイッチ７４の内側から臨ませた状態で設け、当該検出スイッチ７４の一側部（正面から見て右側部。図１２中左側に位置する側部）には、矩形凹状の係合受部７８を形成している。また、検出スイッチ７４の後部には、前後移動可能な検出部３３ａを後方へ付勢した状態で突出している。なお、検出部３３ａは、その先端部が検出スイッチ７４の後面と略同一面上に配置する程度まで、検出スイッチ７４内に押し込まれて移動（収納）される。そして、検出スイッチ７４の下部には、低い線状の支持突起７９を下方へ向けて突設し、該支持突起７９とスイッチホルダ７５の内面とを当接して検出スイッチ７４の下方向の位置を決めるように構成されている。
【００２３】
スイッチホルダ７５は、検出スイッチ７４を内側に収納した略箱状のスイッチ収納部８１を備え、該スイッチ収納部８１の後部および他側部、具体的には検出スイッチ７４の後側および他側（正面から見て右側）に対向する部分を大きく開放して検出スイッチ７４が通過可能な着脱開口部８２を開設し、スイッチ収納部８１の内側であって検出スイッチ７４の係合受部７８と対向する箇所に、矩形凸状のスイッチ係合部８３を突設し、該スイッチ係合部８３を係合受部７８へ係合することでスイッチ収納部８１内の検出スイッチ７４の前後位置および上下位置を決めるように構成されている。また、スイッチ収納部８１の前上端部を切り欠いて配線コネクタ７７を臨ませるコネクタ用開口８４を開設し、該コネクタ用開口８４の上縁端からスイッチ位置決め片８５を下方へ向けて突設し、該スイッチ位置決め片８５を検出スイッチ７４の配線コネクタ７７の後上方に形成された立上がり面に当接して検出スイッチ７４の収納位置の前方向を規制するように構成されている。なお、スイッチホルダ７５内に検出スイッチ７４を収納した状態については、後で詳細に説明する。
【００２４】
また、スイッチ収納部８１の上下外側には、検出器装着部６０の位置決め部６６に前方から当接する当接部６７を、スイッチ収納部８１の上下各面のうち前後方向の中間部分から突設し、スイッチ収納部８１の前側部には左右一対の係止腕８７を、左右各側縁から外方向に延設し、途中から後方へ向けて屈曲する状態で設け、該係止腕８７の先端外側に係止爪６４を突設している。なお、本実施形態の係止腕８７および係止爪６４は、その幅を装着壁部６２の開放部分に挿入できる程度の寸法に設定している。また、正面から見て左側（図１２中右側）の係止腕８７および係止爪６４の幅を、正面から見て右側（図１２中左側）の係止腕８７および係止爪６４の幅よりも狭くして、左側の係止爪６４が右側の幅狭な装着壁部６２内に挿入されることを防ぐように構成されている。したがって、開閉検出器３３が上下を逆にした状態（検出部３３ａを上寄りに配置した状態）で検出器装着部６０に装着される虞がない。
【００２５】
このような構成を備えた検出スイッチ７４およびスイッチホルダ７５を組み付けて開閉検出器３３を組み立てるには、図１３に示すように、まず、スイッチホルダ７５のスイッチ収納部８１の後方から検出スイッチ７４を、検出部３３ａを後方へ、配線コネクタ７７を上方へそれぞれ向けた状態で近づけ、スイッチホルダ７５の着脱開口部８２からスイッチ収納部８１内へ挿入する。このとき、検出スイッチ７４をスイッチ係合部８３が干渉しない程度に左側の係止腕８７側へ寄せながら挿入する。そして、着脱開口部８２へ挿入した検出スイッチ７４の前端がスイッチ収納部８１および係止腕８７、具体的にはスイッチ収納部８１の前部内面および左側の係止腕８７の基端に当接すると（図１４参照）、検出スイッチ７４の立上がり面がスイッチ位置決め片８５の裏側に当接し、また、検出スイッチ７４の係合受部７８がスイッチ係合部８３の横に並んで対向する状態に配置される。係合受部７８とスイッチ係合部８３とが横並びに配置されたならば、検出スイッチ７４を正面から見て右方向（図１４中矢印方向）へずらす。すると、スイッチ係合部８３が係合受部７８に係合（嵌合）し、検出スイッチ７４の右側面がスイッチ収納部８１の右側内面部に当接する。そして、検出スイッチ７４の上面がスイッチ収納部８１の上側内面部に当接するとともに、支持突起７９がスイッチ収納部８１の下側内面部に当接する。したがって、検出スイッチ７４は、スイッチ収納部８１内において右方向、前後方向および上下方向の移動が規制される。このように検出スイッチ７４を簡単な構造のスイッチホルダ７５に保持することができ、検出スイッチ７４の組み付け作業を容易に行うことができる。
なお、組み上がった開閉検出器３３は、検出スイッチ７４の配線コネクタ７７をスイッチ収納部８１のコネクタ用開口８４から臨ませることができる。このことから、検出スイッチ７４をスイッチホルダ７５に収納した後であっても検出スイッチ７４に配線を接続することができ、組立作業やメンテナンス作業の効率向上を図ることができる。
【００２６】
さらに、検出器装着部６０に開閉検出器３３を装着するには、検出部３３ａと係止爪６４とを後方へ、配線コネクタ７７を上方へそれぞれ向けた状態の開閉検出器３３を検出器装着部６０の前方から近づけ、右側の装着壁部６２内には右側の幅広な係止爪６４および係止腕８７を、左側の装着壁部６２内には左側の幅狭な係止爪６４および係止腕８７をそれぞれ嵌合し、挿脱領域６３には検出スイッチ７４およびスイッチ収納部８１の後部を挿入する。この挿入状態のまま開閉検出器３３を後方へ押し込むと、一対の係止爪６４が係止受部６５に押されて係止腕８７が内側に撓み、さらに開閉検出器３３を押し込むと、係止爪６４が係止受部６５を乗り越えて係止腕８７の撓みが元に戻り、係止爪６４の返し部と係止受部６５の後部とが係止する。したがって、開閉検出器３３は、係止腕８７と装着壁部６２との嵌合により上下方向の移動を規制され、係止爪６４と係止受部６５との係止により前方向への移動を規制される（図１５参照）。また、スイッチホルダ７５の上部に配置された当接部６７が上側の位置決め部６６の前面に当接し、スイッチホルダ７５の下部に配置された当接部６７が下側の位置決め部６６の前面に当接する。したがって、開閉検出器３３は、当接部６７と位置決め部６６との当接により前後方向（後方向）への移動が規制された状態で、検出器装着部６０に位置決めされる（図１６参照）。
【００２７】
検出器装着部６０に装着された開閉検出器３３は、図１５および図１６に示すように、当接部６７よりも後側の部分を裏面開口部６１およびプレート開口部７２に嵌合し、検出部３３ａを裏面開口部６１からプレート開口部７２を経て後方へ突出した状態で位置決めされ、検出部３３ａの周辺部（スイッチホルダ７５の後端部および検出スイッチ７４の本体部分の後端面）を自由端補強プレート５３の裏面と略同一面上に配置する。さらに、検出スイッチ７４のうち着脱開口部８２から臨ませた左側部（他側部）を、検出器装着部６０の内面、具体的には右側の装着壁部６２の挿脱領域６３側の側端部および裏面開口部６１の右側縁に当接する。したがって、検出スイッチ７４がスイッチ収納部８１内で右方向へ移動することを規制することができる。このことから、開閉検出器３３は、検出スイッチ７４の前後方向、上下方向、左右方向の位置をスイッチホルダ７５および検出器装着部６０により維持することができ、前面カバー部材８の開閉状態の検出を安定して行うことができる。例えば、前面カバー部材８が閉状態であっても開閉検出器３３の検出部３３ａが前面枠３により十分に押し込まれないという不具合を抑制することができ、前面カバー部材８の開状態が誤検出されることを発生し難くすることができる。
【００２８】
そして、配線コネクタ７７に配線を接続して開閉検出器３３の検出信号を制御装置（例えば、遊技制御装置。図示せず。）へ送信可能な状態にし、開閉検出器３３の前方から検出器カバー３４を、挿脱領域６３を覆う状態で取り付けて、開閉検出器３３の取付作業が完了する。なお、ベース部材２２の前面には、検出器カバー３４を取り付ける取付ボス８９が前方へ向けて立設されており、検出器カバー３４は、この取付ボス８９内にベース部材２２の裏側から開設された止着穴にねじ等の止着部材（図示せず）を通し、該止着部材によりベース部材２２に着脱可能な状態で止着する。そして、止着された検出器カバー３４は、その裏側の移動規制部３４ａを開閉検出器３３の前面に近接あるいは当接させている。したがって、開閉検出器３３が前後方向へ大きくぐらついてしまう不都合を抑制することができ、前面カバー部材８の開閉状態の検出を常時安定して行えるようにすることができる。
【００２９】
また、開閉検出器３３を取り付けた前面カバー部材８は、図１５に示すように、自由端補強プレート５３の不正防止起立壁７０を検出部３３ａよりも外側（回動自由端側）に設け、この不正防止起立壁７０の突出端を開閉検出器３３の検出部３３ａの先端よりも所定の距離Ｘ（例えば、１〜２ｍｍ）だけ後方へ延出している。したがって、前面カバー部材８が僅かに開いた状態であっても開閉検出器３３によりこの開状態を検出でき、しかも前面カバー部材８と前面枠３との間に形成された隙間から不正部材がパチンコ遊技機１内へ挿入されることを阻止することができる。
【００３０】
このような開閉検出器３３を備えた前面カバー部材８を前面枠３に対して十分に閉じると、図１７に示すように、自由端補強プレート５３の裏面、スイッチホルダ７５の後端部および検出スイッチ７４の本体部分の後端面が前面枠３の前面に当接するとともに、検出部３３ａが前面枠３の前面の一側方（右側方）により押し込まれる。したがって、開閉検出器３３は、回動軸支端よりも回動量（移動量）が大きくなる回動自由端側で前面カバー部材８と前面枠３との隙間を検出することでき、僅かな開角度であっても、前面カバー部材８の開状態を検出することができる。
そして、前面カバー部材８は、前面枠３に形成された溝状の不正防止係合部８９に不正防止起立壁７０を挿入し、この挿入状態のままで係止片５３ａに前面枠３の係止鉤７１を係止して前面枠３にロックされる。したがって、上寄りの係止片５３ａ間に検出部３３ａを配置した開閉検出器３３は、前面枠３と前面カバー部材８との係止位置に近づけて配置されていることになり、閉状態の前面カバー部材８が前面枠３に対して最も密接となる位置の状態を検出することができる。このことから、前面カバー部材８が閉じているにも拘らず開閉検出器３３により開状態であると誤検出してしまう不都合を抑えることができる。
さらに、不正防止起立壁７０が不正防止係合部８９に挿入されて嵌り込むので、前面カバー部材８と前面枠３との間からピアノ線等の不正部材を挿入しようとしても、不正防止起立壁７０が不正部材の侵入を阻止することができ、不正行為を未然に防ぐことができる。
【００３１】
また、係止片５３ａと係止鉤７１との係止状態を解除し、前面枠３に対して前面カバー部材８を開くと、自由端補強プレート５３の裏面、スイッチホルダ７５の後端部および検出スイッチ７４の本体部分の後端面が前面枠３の前面から離れ、不正防止起立壁７０が不正防止係合部８９から後退し、検出部３３ａが常時作用する後ろ向きの付勢力により後方へ突出する。すると、開閉検出器３３は、検出部３３ａが後方へ移動したことを感知して、前面カバー部材８が開状態になったことを検出する。
【００３２】
そして、前面カバー部材８に取り付けた開閉検出器３３を取り外すには、まず、止着部材を緩めて検出器カバー３４を前面カバー部材８（ベース部材２２）から外し、前面カバー部材８の前側に開閉検出器３３を露出させる。開閉検出器３３が露出したならば、配線コネクタ７７から配線を引き抜き、左右両側の係止腕８７を指でつまむ等して内側の挿脱領域６３側（あるいは検出スイッチ７４側）へ撓ませ、係止爪６４の返し部と係止受部６５の後部との係止状態を解除する。すると、開閉検出器３３の前方への移動規制が解除され、開閉検出器３３が検出器装着部６０から脱離可能となる。そして、この脱離可能な状態、すなわち係止腕８７を内側に撓ませたままで開閉検出器３３を前方へ引き出すと、係止爪６４および係止腕８７が装着壁部６２から脱離し、検出スイッチ７４およびスイッチ収納部８１が挿脱領域６３から脱離して、開閉検出器３３が検出器装着部６０から取り外される。このようにして開閉検出器３３は、特別な工具等を使用することなく簡単に着脱することができる。したがって、前面カバー部材８の組立作業や開閉検出器３３の交換作業の負担の軽減を図ることができる。
【００３３】
なお、上記実施形態では、開閉検出器３３を前面カバー部材８の回動自由端側の上寄りに取り付けたが、本発明はこれに限定されず、例えば、回動自由端側の下寄りに取り付けてもよいし、回動自由端側の中央に取り付けてもよい。
【００３４】
そして、上記実施形態は、代表的な遊技機であるパチンコ遊技機１を例に挙げて説明したが、本発明はこれに限らず、その他、前面枠の前面の一側方に前面カバー部材を開閉可能に軸支した遊技機であればよい。例えば、内部に封入した遊技球を循環させる封入球式パチンコ遊技機、アレンジボール式遊技機、雀球式遊技機等の遊技機であってもよい。
【００３５】
なお、前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【図面の簡単な説明】
【００３６】
【図１】パチンコ遊技機の正面図である。
【図２】前面カバー部材を開いた状態のパチンコ遊技機の斜視図である。
【図３】前面カバー部材の斜視図である。
【図４】前面カバー部材の正面図である。
【図５】前面カバー部材の背面図である。
【図６】前面カバー部材の前面側の分解斜視図である。
【図７】前面カバー部材の裏面側の分解斜視図である。
【図８】検出器カバー、開閉検出器、自由端補強プレートを取り外した状態の前面カバー部材の斜視図である。
【図９】ベース部材の検出器装着部周辺の部分正面図である。
【図１０】前面カバー部材の開閉検出器周辺の部分背面図である。
【図１１】開閉検出器の後下方から見た斜視図である。
【図１２】（ａ）は開閉検出器の背面図、（ｂ）は（ａ）のＣ−Ｃ断面図、（ｃ）は（ａ）のＤ−Ｄ断面図である。
【図１３】検出スイッチおよびスイッチホルダの後下方から見た斜視図である。
【図１４】スイッチホルダに検出スイッチを収納する途中の斜視図である。
【図１５】図４のＡ−Ａ断面図であり、前面カバー部材を前面枠に対して開いた状態図である。
【図１６】図１０のＢ−Ｂ断面図である。
【図１７】図４のＡ−Ａ断面図であり、前面カバー部材を前面枠に対して閉じた状態図である。
【符号の説明】
【００３７】
１  パチンコ遊技機
３  前面枠
８  前面カバー部材
９  ガラス板
２１  開口部
２２  ベース部材
２３  パイロットレンズユニット
２４  スピーカー
２５  スピーカー装飾ユニット
２６  下部装飾ユニット
２７  レンズユニット
２８  ガラスユニット
３３  開閉検出器
３３ａ  検出部
３４  検出器カバー
３４ａ  移動規制部
５１  上補強プレート
５２  軸支端補強プレート
５３  自由端補強プレート
５３ａ  係止片
５４  下補強プレート
６０  検出器装着部
６１  裏面開口部
６２  装着壁部
６３  挿脱領域
６４  係止爪
６５  係止受部
６６  位置決め部
６７  当接部
７０  不正防止起立壁
７１  係止鉤
７２  プレート開口部
７４  検出スイッチ
７５  スイッチホルダ
７７  配線コネクタ
７８  係合受部
７９  支持突起
８１  スイッチ収納部
８２  着脱開口部
８３  スイッチ係合部
８４  コネクタ用開口
８５  スイッチ位置決め片
８７  係止腕
８９  不正防止係合部
【図１】
2006051119.tif 000003
【図２】
2006051119.tif 000004
【図３】
2006051119.tif 000005
【図４】
2006051119.tif 000006
【図５】
2006051119.tif 000007
【図６】
2006051119.tif 000008
【図７】
2006051119.tif 000009
【図８】
2006051119.tif 000010
【図９】
2006051119.tif 000011
【図１０】
2006051119.tif 000012
【図１１】
2006051119.tif 000013
【図１２】
2006051119.tif 000014
【図１３】
2006051119.tif 000015
【図１４】
2006051119.tif 000016
【図１５】
2006051119.tif 000017
【図１６】
2006051119.tif 000018
【図１７】
2006051119.tif 000019